(57)【特許請求の範囲】
【請求項１】
設置面に一定の間隔を空けて設置された架台に固定される太陽電池モジュール列の隅部に配置され、前記架台が延びる方向と同方向に延びる辺と、前記太陽電池モジュールに対向する辺とを有するコーナー部材の保持機構であって、
前記架台の端部に接続され、該架台を挟んで位置する太陽電池モジュール列の同じ方向の隅部にそれぞれ位置し、一部が対向する前記コーナー部材のうちの一方を保持する第１保持部材と、
前記一方のコーナー部材と、該一方のコーナー部材と一部が対向する他方のコーナー部材とを保持する第２保持部材とを有し、
前記第１保持部材は、前記架台の端部と接続した連結部と、前記一方のコーナー部材の、前記架台が延びる方向の移動及び前記架台が延びる方向と直交する方向の移動を規制する移動規制部とが設けられており、
前記架台が延びる方向と同方向にそれぞれ延びる、前記一方のコーナー部材の前記他方のコーナー部材と対向する辺と、前記他方のコーナー部材の前記一方のコーナー部材と対向する辺の一部は、前記架台の外側に突出しており、前記外側に突出した箇所において前記第２保持部材が設置されていることを特徴とする、コーナー部材の保持機構。
【請求項２】
前記コーナー部材は、
平板状のパネルと、前記パネルの外周縁を保持するフレーム体とを有し、
前記フレーム体は、側部と、該側部の一端から突出する第１のフランジ部と、該側部の他端から突出する第２のフランジ部と、を有し、
前記一方のコーナー部材の前記太陽電池モジュールと対向する辺において、前記フレーム体は、前記他方のコーナー部材側の端部において、前記第２のフランジ部に切欠き部が形成され、
前記移動規制部は、前記切欠き部に位置し、前記第２のフランジ部と前記側部とにそれぞれ対向する側面を有している、請求項１に記載のコーナー部材の保持機構。
【請求項３】
前記移動規制部は、前記側部と対向する位置において、前記側部に沿うように屈曲又は湾曲している請求項２に記載のコーナー部材の保持機構。
【請求項４】
前記第２保持部材は、前記架台が延びる方向に複数設置されている、請求項１から３のいずれか１項に記載のコーナー部材の保持機構。
【請求項５】
前記第２保持部材は、前記一方のコーナー部材に固定される側部と、該側部の両端から前記他方のコーナー部材に向かってそれぞれ突出し、前記他方のコーナー部材を保持する突出部と、前記他方のコーナー部材の、前記架台が延びる方向への移動を規制する止め部と、を有している、請求項１から４のいずれか１項に記載のコーナー部材の保持機構。
【請求項６】
前記止め部は、前記突出部のいずれか一方と連結されている、請求項５に記載のコーナー部材の保持機構。
【発明の詳細な説明】
【技術分野】
【０００１】
本発明は、太陽電池モジュールアレイの隅部に配置されるコーナー部材の保持機構に関する。
【背景技術】
【０００２】
従来から矩形状の太陽電池モジュールを複数使用して屋根面に太陽電池モジュールアレイを形成する際、桁方向に並べた太陽電池モジュール列を軒側から棟側に向かって複数列配置している。
【０００３】
一般的な住宅の屋根において、屋根面の側端部は軒側から棟側に向かうにつれて桁方向の長さが変化している場合が多い。例えば、軒側から棟側に向かうにつれて桁方向の長さが短くなっている場合、屋根形状に合わせて、軒側から棟側に向かうにつれて、太陽電池モジュール列を構成する太陽電池モジュールの数が少なくなる。そのため、太陽電池モジュールアレイの両側端部（屋根の桁方向の端部）が段差形状となり、意匠性に劣る。
【０００４】
上記課題に鑑み、太陽電池モジュール列の両端部に略三角形状のコーナーカバーや太陽電池モジュール（以降、「コーナー部材」と称する）を配置することで、太陽電池モジュールアレイの両側端部を直線状にする構成が公知である（例えば特許文献１参照）。
【０００５】
特許文献１の構成は、以下のとおりである。
【０００６】
軒側から棟側に向かって延びる架台が桁方向に等間隔に配置され、桁方向の両端から中央に向かうにつれ、架台の長さが長くなっている。そして、隣接する架台の間に軒側から棟側に向かって矩形状の太陽電池モジュールが配置され、架台に固定されている。棟側では架台の端部の位置が一致しないので、矩形状の太陽電池モジュールが配置できない。そのため、軒側から棟側に向かって配置される太陽電池モジュール列の棟側端部には略直角三角形のコーナー部材が配置されている。略直角三角形のコーナー部材は、直角を形成する辺の１つが架台に固定され、他の１つが隣接する矩形状の太陽電池モジュールに固定されている。上記の構成にすることで、太陽電池モジュールアレイの両側端部に略直角三角形のコーナー部材が連続的に位置して、太陽電池モジュールアレイの両側端部が直線状となる。
【先行技術文献】
【特許文献】
【０００７】
【特許文献１】特許第３６９２２９２号公報
【発明の概要】
【発明が解決しようとする課題】
【０００８】
しかしながら、上記特許文献１は、同一サイズの略直角三角形状のコーナー部材の使用が前提である。したがって、太陽電池モジュールアレイの両側端部の傾斜角が決定されてしまい、太陽電池モジュールアレイの形状を屋根形状に柔軟に合わせることができない。また、屋根形状に合わせるべく、異なるサイズや形状のコーナー部材を使用しようとしても、上記特許文献１の構成では様々な長さの架台を用意するか、架台を延長させないとコーナー部材を架台に固定することができず実用的ではない。
【０００９】
本発明は、上記課題に鑑み、様々なサイズや形状のコーナー部材を保持して屋根形状に合わせた意匠性の高い太陽電池モジュールアレイの形成に寄与できる実用性の高いコーナー部材の保持機構を提供することを目的とする。
【課題を解決するための手段】
【００１０】
本発明は、設置面に一定の間隔を空けて設置された架台に固定される太陽電池モジュール列の隅部に配置され、前記架台が延びる方向と同方向に延びる辺と、前記太陽電池モジュールに対向する辺とを有するコーナー部材の保持機構であって、
前記架台の端部に接続され、該架台を挟んで位置する太陽電池モジュール列の同じ方向の隅部にそれぞれ位置し、一部が対向する前記コーナー部材のうちの一方を保持する第１保持部材と、
前記一方のコーナー部材と、該一方のコーナー部材と一部が対向する他方のコーナー部材とを保持する第２保持部材とを有し、
前記第１保持部材は、前記架台の端部と接続した連結部と、前記一方のコーナー部材の、前記架台が延びる方向の移動及び前記架台が延びる方向と直交する方向の移動を規制する移動規制部とが設けられており、
前記架台が延びる方向と同方向にそれぞれ延びる、前記一方のコーナー部材の前記他方のコーナー部材と対向する辺と、前記他方のコーナー部材の前記一方のコーナー部材と対向する辺の一部は、前記架台の外側に突出しており、前記外側に突出した箇所において前記第２保持部材が設置されている。
【発明の効果】
【００１１】
開示の技術によれば、様々なサイズや形状のコーナー部材を保持して屋根形状に合わせた意匠性の高い太陽電池モジュールアレイの形成に寄与できる実用性の高いコーナー部材の保持機構を提供できる。
【図面の簡単な説明】
【００１２】
【図１】実施形態に係るコーナー部材の保持機構を実施した太陽電池モジュールアレイを屋根面に設置した一例を示す概略図であり、（Ａ）は全体平面図、（Ｂ）は、（Ａ）の部分拡大斜視図である。
【図２】図１（Ｂ）に示す箇所Ｆの部分拡大斜視図である。
【図３】架台とコーナー部材と第１保持部材との関係を説明する斜視図である。
【図４】架台とコーナー部材と第２保持部材との関係を説明する斜視図である。
【図５】第２保持部材により軒側のコーナー部材と棟側のコーナー部材とを保持した状態を示す部分拡大斜視図である。
【図６】図１（Ａ）に示す箇所Ｇの部分拡大図である。
【発明を実施するための形態】
【００１３】
以下、図面を参照して発明を実施するための形態について説明する。なお、各図面において、同一構成部分には同一符号を付し、重複した説明を省略する場合がある。
【００１４】
図１（Ａ）は、実施形態に係るコーナー部材の保持機構を実施した太陽電池モジュールアレイを、屋根面に設置した一例を示す全体平面図である。なお図示例の太陽電池モジュールアレイＡＲは、複数の太陽電池モジュール１とコーナー部材３を有する構成を基本としている。
【００１５】
図１（Ｂ）は、図１（Ａ）に示す太陽電池モジュールアレイの箇所Ｅの部分拡大斜視図である。また、図１（Ｂ）は、コーナー部材３の構成と配置を説明する図であり、図１（Ａ）の上から１、２段目の部材を省略している。本明細書において桁方向は、矢印Ｘ１―Ｘ２方向を指し、水流れ方向は矢印Ｙ１−Ｙ２方向を指す。軒側とは、矢印Ｙ２側を指し、棟側とは矢印Ｙ１側を指す。
【００１６】
図１（Ａ）に示す太陽電池モジュールアレイの設置面である屋根面１００の屋根形状は、平行四辺形とした。これは本実施形態のコーナー部材の保持機構が、通常の屋根形状のみならず様々な形状の屋根面においても意匠性を発揮できる点を説明するためである。したがって、本実施形態のコーナー部材の保持機構は、代表的な寄棟型屋根や切妻型屋根など、平行四辺形以外の屋根形状においても同様に実施できる。また、設置面が建物の壁面や地面などにあっても構わない。
【００１７】
本実施形態の屋根面１００には、桁方向と平行な架台２が水流れ方向に一定の間隔を空けて複数設置され、該架台２に矩形状の太陽電池モジュール１が複数固定されている。また、太陽電池モジュール１の隅部にはコーナー部材３が保持されて太陽電池モジュールアレイＡＲが形成されている。
【００１８】
図示例の太陽電池モジュール１は、水流れ方向に複数列配置されている。また、桁方向には、太陽電池モジュール１が１つ配置されているが、この限りではなく複数隣接する配置とされてよい。
【００１９】
太陽電池モジュール１は、外周縁がフレーム体１０で囲まれており、該フレーム体１０と架台２とがボルトで固定されることで屋根面１００に配置される。フレーム体１０は、一対の短辺１１と一対の長辺１２とで構成される。
【００２０】
図示例のコーナー部材３は、平板状のパネル３００とフレーム体３０を有し、パネル３００の外周縁がフレーム体３０で囲まれている。フレーム体３０は、略直角を成す第１の辺３１と第２の辺３２と、斜辺３３とを有し、略直角三角形の棟側（矢印Ｙ１側）の鋭角を水平（架台２に沿った方向）に切除した第３の辺３４をさらに有している。第１の辺３１は、太陽電池モジュール１と対向しており、第２の辺３２と第３の辺３４は、架台２が延びる方向と同方向に延びている。コーナー部材３は、太陽電池モジュール１の隅部に配置されることにより、太陽電池モジュールアレイＡＲの両側端部辺が直線状となり、意匠性を発揮できる。
【００２１】
従来、太陽電池モジュール１の隅部に配置されるコーナー部材は、同一サイズの略直角三角形状のコーナー部材が使用されていた。しかし、本実施形態においては図１（Ａ）に示すように、様々な形状のコーナー部材３を使用している。
【００２２】
なお図１の太陽電池モジュールアレイＡＲは、左側（矢印Ｘ１側）から右側（矢印Ｘ２側）に向かって、順に同一サイズのコーナー部材８→太陽電池モジュール１→同一サイズではないコーナー部材３が設置された例を示している。しかしながら、太陽電池モジュールアレイＡＲの左端（矢印Ｘ１側）に配置される複数のコーナー部材８は、必要に応じて同一サイズでないコーナー部材３が配置されてよい。一方、太陽電池モジュールアレイＡＲの右端（矢印Ｘ２側）に配置される複数のコーナー部材３は、軒側から棟側（矢印Ｙ２―Ｙ１方向）へ行くにしたがって第３の辺３４が長く形成された様々な形状のコーナー部材３が配置されている。コーナー部材３は、図示例の形状に限らず三角以上の多角形状であってよい。
【００２３】
本実施形態では、コーナー部材の保持機構を使用することにより、様々な形状の屋根面において意匠性を発揮可能に複数の形状に形成されたコーナー部材３を使用可能である。
【００２４】
以下、様々な形状のコーナー部材３を使用可能にする、本実施形態に係るコーナー部材の保持機構について図２〜図５に基づいて説明する。なお図２〜図５は、図１（Ｂ）の箇所Ｆにおける部分拡大図を示している。
【００２５】
図２は、保持機構によりコーナー部材３を架台２に保持させた状態を示す部分拡大斜視図である。図２は説明の関係上、軒側のコーナー部材３ｎのパネル３００ｎと太陽電池モジュール１を省略している。図３（Ａ）は、架台２とコーナー部材３と第１保持部材４との関係を説明する分解斜視図である。図３（Ｂ）は架台２とコーナー部材３と第１保持部材４との組み付け状態を説明する組み付け図であり、太陽電池モジュールアレイＡＲの左側（矢印Ｘ２側）から見た斜視図である。図３（Ｃ）は、図３（Ｂ）の側面図である。図３（Ａ）〜図３（Ｃ）に示すコーナー部材３のフレーム体３０は、説明の関係上、第１の辺３１のみを示している。
【００２６】
図４は、架台２とコーナー部材３と第２保持部材５との関係を説明する部分斜視図である。図４（Ａ）は、太陽電池モジュールアレイＡＲの棟側（矢印Ｙ１側）から見た斜視図である。図４（Ｂ）は、図４（Ａ）の底面斜視図である。なお、図４（Ａ）、（Ｂ）は説明の関係上、棟側のコーナー部材３ｍと太陽電池モジュール１を省略している。
【００２７】
図５は、第２保持部材により軒側のコーナー部材と棟側のコーナー部材とを保持した状態を示す部分拡大斜視図である。図５においても、説明の関係上、太陽電池モジュール１を省略している。
【００２８】
本実施形態の保持機構は、架台２の端部に接続され、当該架台２を挟んで位置する太陽電池モジュール１のそれぞれの隅部に位置するコーナー部材のうちの一方のコーナー部材（以降、「軒側のコーナー部材」と称する」）３ｎを保持する第１保持部材４と、軒側のコーナー部材３ｎ及び、他方のコーナー部材（以降、「棟側のコーナー部材」と称する）３ｍを保持する第２保持部材５とを含む。
【００２９】
（第１保持部材４）
先ず図２、図３を参照しながら、箇所Ｆにおける第１保持部材４の配置構成について説明する。第１保持部材４は、架台２の端部に接続される。
【００３０】
第１保持部材４が接続される架台２は、基礎部２１と該基礎部２１から起立する断面視がＴ字形状の起立部２２とを有している。基礎部２１は、山形状のネジ孔部２１ｂを有する台座２１ａと、ネジ孔部２１ｂの頂部から水平方向に延在するフランジ部２１ｃを有している。なお台座２１ａの底面とフランジ部２１ｃ下面との間には隙間Ｓ１が形成されている。隣接する軒側の太陽電池モジュールと棟側の太陽電池モジュールの互いに対向する１辺が同じ架台２の起立部２２と基礎部２１とに保持される。
【００３１】
フレーム体３０を構成する第１の辺３１は、側部３１３と、側部３１３の一端（上側（矢印Ｚ１側））から突出する第１のフランジ部（以降、「上フランジ部」と称する）３１１と、側部３１３の他端（下側（矢印Ｚ２側））から突出する第２のフランジ部（以降、「下フランジ部」と称する）３１２とを有している。
【００３２】
さらに、フレーム体３０は、側部３１３の略中央から突出する、断面Ｌ字形状の第３のフランジ部（以降、「中フランジ部」と称する）３１４が設けられている。各フランジ部は側部３１３から同じ方向に突出している。なお、中フランジ部３１４は、一側が側部３１３の略中央位置に接続される接続辺３１４ａと、接続辺３１４ａの他側から直交方向に起立する起立辺３１４ｂを有している。
【００３３】
起立辺３１４ｂの先端は、上フランジ部３１１より下フランジ部３１２側に位置しており、起立辺３１４ｂと上フランジ部３１１との間には隙間Ｓ２が設けられている。また、中フランジ部３１４の端部には、起立辺３１４ｂの一部を切り欠いた切欠き部３１４ｃが形成されている。
【００３４】
フレーム体３０を構成する各辺の組み付けは、例えば図２に示す第１の辺３１と第３の辺３４と斜辺３３の組み付け構成が実施される。即ち、第３の辺３４の中フランジ部３４４は、第１の辺３１に設置された中フランジ部３１４と、斜辺３３に設置された中フランジ部３３４との間に横架される。その際、中フランジ部３４４は、中フランジ部３１４の切欠き部３１４ｃと中フランジ部３３４の切欠き部３３４ｃの位置に配置される。したがって第３の辺３４の中フランジ部３４４は、中フランジ部３１４、３３４の接続辺３１４ａ、３３４ａ上に保持される。
【００３５】
特に図示説明は省略するが、第１の辺３１と第２の辺３２、第２の辺３２と斜辺３３においても同様の技術的思想に基づいて組み付けられてフレーム体３０が構成される。
【００３６】
フレーム体３０は、各辺が上記した構成で組み付けられると、各辺の上側のフランジ部と中フランジ部の起立辺との間には同一平面上に共通する隙間Ｓ２が形成される（例えば図２参照）。この隙間Ｓ２には、コーナー部材３のパネル３００が挿入され、上フランジ部３１１の下面と起立辺３１４ｂの上面とでパネル３００を保持している。なお、パネル３００は、板状のものなら何でもよく、太陽電池モジュールであってもよい。
【００３７】
本実施形態のフレーム体３０を構成する第１の辺３１は、他方のコーナー部材側（棟側（矢印Ｙ１側））の端部において下フランジ部３１２が切り欠かれた切欠き部３１２ａと、延在部３１３ａとが形成される。なお延在部３１３ａは、切欠き部３１２ａが位置する側部３１３に相当する。
【００３８】
コーナー部材３の保持機構を構成する第１保持部材４は、架台２の、該架台２が延びる方向の一方の側（矢印Ｘ２側）の端部と接続可能な連結部４１と、コーナー部材３の架台２が延びる方向（桁方向（矢印Ｘ１−Ｘ２方向））の移動、及び桁方向と直交する方向（水流れ方向（矢印Ｙ１−Ｙ２方向））の移動を規制する移動規制部である突起部４２とを含む。
【００３９】
連結部４１は、架台２の幅方向（桁方向と直交する方向（矢印Ｙ１−Ｙ２方向））に延在している。連結部４１には、架台２の台座２１ａのネジ孔部２１ｂと対応する位置に形成されたボルト孔４１ａと、フランジ部２１ｃを保持する支持片４１ｂが形成されている。支持片４１ｂは、架台２側に突出している。
【００４０】
突起部４２は、連結部４１の軒側端部（矢印Ｙ２側）で架台２とは反対側の面（矢印Ｘ２側）に連結されている。突起部４２は、架台２とは反対側（矢印Ｘ２側）の方向に延在され、先端部が屈曲形状に形成されている。そのため、突起部４２は、断面が逆Ｌ字形状をしており、架台２側を向いた側面４２ａと軒側を向いた側面４２ｂとを有している。
【００４１】
上記構成の第１保持部材４は、支持片４１ｂが架台２の台座２１ａの底面とフランジ部２１ｃの下面との間の隙間Ｓ１内に配置され、ボルト孔４１ａが台座２１ａのネジ孔部２１ｂと一致される様態で、架台２の端部に配置される。そして、連結部４１のボルト孔４１ａから、ボルトＢ１を台座２１ａのネジ孔部２１ｂに向かってねじ込むことにより、架台２の端部に第１保持部材４が取付けられる。
【００４２】
そして、コーナー部材３のフレーム体３０を構成する第１の辺３１が架台２と接続された第１保持部材４に沿うように配置される。このとき、切欠き部３１２ａに第１保持部材４が位置する。即ち、第１の辺３１の延在部３１３ａが第１保持部材４を構成する突起部４２の架台２側の側面４２ａに対向し、第１の辺３１の下フランジ部３１２の端部が突起部４２の軒側の側面４２ｂに対向する。
【００４３】
したがって、突起部４２は、側面４２ａと延在部３１３ａとが接触することでコーナー部材３の桁方向の移動を規制できる。また突起部４２は、軒側の側面４２ｂが第１の辺３１の下フランジ部３１２の端部と接触することでコーナー部材３の水流れ方向の移動を規制できる。
【００４４】
図示した突起部４２は、先端部が屈曲形状に形成されている場合を示したが、この限りではなくＵ字形状・半円弧形状などの湾曲形状であってよく、フレーム体３０を構成する第１の辺３１との接触面積を大きくして規制力を高めることが好ましい。また、本実施形態では移動規制部の一例として上記構成の突起部４２を説明したが、突起部ではなく他の手段によりコーナー部材３の桁方向の移動と、水流れ方向の移動を規制する構成を実施してよい。
【００４５】
（第２保持部材５）
次に図１、図４、図５を参照しながら、第２保持部材５について説明する。
図１（Ｂ）に示すように軒側のコーナー部材３ｎの第３の辺３４ｎと、棟側のコーナー部材３ｍの第２の辺３２ｍの矢印Ｘ２側の一部は、架台２の外側（矢印Ｘ２側）に突出するように配置されている。本実施形態の第２保持部材５は、外側に突出した箇所に設置される。
【００４６】
図示例の第２保持部材５は、主保持部材５１と補助保持部材５２とを有している。主保持部材５１と補助保持部材５２は、軒側のコーナー部材３ｎの第３の辺３４ｎの外側にボルト接合されている。また、主保持部材５１と補助保持部材５２は、第３の辺３４ｎの桁方向に並列配置される。並列配置される主保持部材５１と補助保持部材５２との間隔は、フレーム体３０の第３の辺３４の長さなどに応じて適宜変更される。なお、図１（Ａ）において使用されるコーナー部材３は、棟側（矢印Ｙ１側）へ向かうにしたがって第３の辺３４が長くなっている。したがって、主保持部材５１と補助保持部材５２との間隔は、棟側へ向かうにしたがって大きくなってよい。また、第３の辺３４の長さが非常に短く、主保持部材５１と補助保持部材５２の両方を設置できない場合には、主保持部材５１のみ配置する。即ち本発明の第２保持部材５は主保持部材５１のみであってもよい。
【００４７】
主保持部材５１は、不図示のボルト孔を有し、軒側のコーナー部材３ｎの第３の辺３４ｎに固定される側部５１３と、側部５１３の一端（上側（矢印Ｚ１側））から棟側のコーナー部材３ｍに向かって突出する突出部である第１のフランジ部（以降、「上フランジ部」と称する）５１１と、側部５１３の他端（下側（矢印Ｚ２側））から棟側のコーナー部材３ｍに向かって突出する突出部である第２のフランジ部（「下フランジ部」とも称する）５１２とを有している。
【００４８】
補助保持部材５２は、主保持部材５１と同様に、上フランジ部５２１と、下フランジ部５２２と、側部５２３とを有している。側部５２３には不図示のボルト孔が形成されている。
【００４９】
主保持部材５１と補助保持部材５２は、側部５１３、５２３の外面を軒側のコーナー部材３ｎの第３の辺３４ｎの外側に当接され、ボルトＢ２、Ｂ３によりボルトで接合される。また、上フランジ部５２１と、下フランジ部５２２と、側部５２３とで棟側のコーナー部材３ｍの第２の辺３２ｍを保持している。
【００５０】
本実施形態の主保持部材５１の上フランジ部５１１には、第２の辺３２ｍに沿った方向に延在する長孔５１１ａが設けられている。また主保持部材５１の上フランジ部５２１と、下フランジ部５２２と、側部５２３とで形成される空間内にコーナー部材３ｍの桁方向の移動を止める止め部５１４が設けられている。止め部５１４は、例えばＬ字形状をしており、上フランジ部５１１と当接する上辺５１４ａと上辺５１４ａの一端から該空間内に垂直に延びる垂直辺５１４ｂとを有している。図示例の止め部５１４は、Ｌ字形状とされているが、この限りではなくＣ形状やＵ字形状などであってよい。上辺５１４ａにはネジ孔が設けられている。なお垂直辺５１４ｂは、主保持部材５１の空間内において架台２側（矢印Ｘ１側）に来るように配置されて、空間内に収納されるコーナー部材３ｍの桁方向の移動を規制する。具体的には図５に示すように、垂直辺５１４ｂは、コーナー部材３ｍの第２の辺３２ｍの近傍位置に配置されるので、垂直辺５１４ｂと第２の辺３２ｍの端部とが接触してコーナー部材３ｍの桁方向の移動が規制される。
【００５１】
止め部５１４は、上辺５１４ａのネジ孔に上フランジ部５１１の長孔５１１ａに挿通された固定部材であるボルトＢ４によって締結されることで、主保持部材５１の空間内に位置決めされ、固定される。上記構成の止め部５１４は、長孔５１１ａにより該長孔５１１ａの開口範囲内でスライド移動可能である。したがって、適宜現場に合わせた止め部５１４の締結位置の微調整が可能である。
【００５２】
なお図示例の止め部５１４は、上フランジ部５１１側と連結されているが、この限りではなく下フランジ部５１２側と連結されていてもよい。
【００５３】
第２保持部材５によって、軒側のコーナー部材３ｎと棟側のコーナー部材３ｍの架台２から突出した部分が互いに支持し合う。そのため、軒側のコーナー部材３ｎと棟側のコーナー部材３ｍが、架台２から突出した部分で、屋根など設置面に向かって垂れ下がったり、落下したりすることが抑制される。また、第２保持部材５は、主保持部材５１と補助保持部材５２とで構成してもよく、主保持部材５１と補助保持部材５２の固定間隔を変化させることで、軒側のコーナー部材３ｎと棟側のコーナー部材３ｍの架台２から突出した部分の長さが長くなっても、効率よく互いに支持し合うことができる。
【００５４】
上記したコーナー部材の保持機構及び保持構成は、他の隅部箇所においても同様に実施される。したがって、本実施形態のコーナー部材の保持機構を実施すると、様々なサイズや形状のコーナー部材であっても、効果的に保持して様々な形状の屋根形状に対して意匠性の高い太陽電池モジュールアレイを形成できる。
【００５５】
次に、図１（Ａ）に示す太陽電池モジュールアレイＡＲの箇所Ｇにおけるコーナー部材の保持機構を図１、図６から説明する。図６は、説明の関係上、太陽電池モジュール１を省略している。
【００５６】
図６（Ａ）は、図１（Ａ）に示す箇所Ｇの部分拡大斜視図であり、架台２とコーナー部材３と保持機構との関係を説明する部分斜視図である。なお図６（Ａ）は、太陽電池モジュールアレイＡＲの棟側（矢印Ｙ１側）から見た斜視図である。図６（Ｂ）は、図６（Ａ）の部分側面図であり、一部透過図である。
【００５７】
図１（Ａ）に示す箇所Ｇは、太陽電池モジュールアレイＡＲの最も棟側（以降、「最上位側」と称する）に配置される太陽電池モジュール１ｕｐとコーナー部材３ｕｐの連結箇所を示している。
【００５８】
最上位側のコーナー部材３ｕｐの保持機構は、架台２の端部に接続される第１保持部材４００と、架台２の一部とコーナー部材３ｕｐの第３の辺３４ｕｐとに連続的に当接する補強部材６を含む。
【００５９】
補強部材６は、断面が略Ｕ形状を有しており、架台２の一部からコーナー部材３ｕｐの第３の辺３４ｕｐの少なくとも一部にわたる長さを有している。なお、架台２の位置においては、補強部材６は起立部２２と基礎部２１とに保持されている。また、補強部材６の断面形状は、略Ｃ形状、略Ｉ形状などであってもよい。
【００６０】
図示例の第１保持部材４００は、連結部４１０の棟側の側面（矢印Ｙ１側）に補強部材６の棟方向への移動を規制する規制部４３０が設けられている点で、第１保持部材４と相違する。
【００６１】
規制部４３０は、連結部４１０の突起部４２０とは反対側である棟側の側面と連結されるベース部４３０ａと、ベース部４３０ａの上端と連結されるＬ形状の腕部４３０ｂとを有している。この腕部４３０ｂによって、補強部材６の棟方向への移動が妨げられる。
【００６２】
図示例においては補強部材６を保持する保持部材７が、コーナー部材３ｕｐの第３の辺３４ｕｐの外側にボルト接合されている。保持部材７は、断面が略Ｕ形状をしており、Ｕ形状によって形成される空間内に補強部材６が挿入される。図示例の保持部材７は、図４に示す補助保持部材５２と略同様の構成であってよい。
【００６３】
架台２に支持された端部とは反対側の端部において、架台２の起立部２２や保持部材７の厚さに起因して、補強部材６と第３の辺３４ｕｐとの間に隙間がある。そのため、補強部材６の架台２に支持された端部とは反対側の端部において、補強部材６と第３の辺３４ｕｐとの間の隙間を埋める台座９を設けることが好ましい。そして、この台座９を介して補強部材６と第３の辺３４ｕｐとをビスなどで固定する。これにより、補強部材６が固定される。
【００６４】
したがって、最上位のコーナー部材３ｕｐは、少なくとも上記した第１保持部材４００と補強部材６とにより架台２に保持される。また、補強部材６は長尺であり固定は単なるビス止めであるから、様々な長さの第３の辺３４を有する最上位のコーナー部材３を確実に保持できる。
【００６５】
以上、好ましい実施の形態について詳説したが、上述した実施の形態に制限されることはなく、特許請求の範囲に記載された範囲を逸脱することなく、上述した実施の形態に種々の変形及び置換を加えることができる。例えば、図示した太陽電池モジュールアレイに使用した架台２は横桟であるが、縦桟を使用した太陽電池モジュールアレイにおいても、本実施形態の保持機構を実施できる。
【符号の説明】
【００６６】
１        太陽電池モジュール
２        架台
３        コーナー部材
３０      フレーム体
３１      第１の辺（太陽電池モジュールに対向する辺）
３１１    上フランジ部（第１のフランジ部）
３１２    下フランジ部（第２のフランジ部）
３１３    側部
３１２ａ  切欠き部
３２      第２の辺（架台が延びる方向と同方向に延びる辺）
３４      第３の辺（架台が延びる方向と同方向に延びる辺）
４、４００  第１支持部材
４１      連結部
４２      突起部（移動規制部）
５        第２支持部材
５１１    上フランジ部（突出部）
５１２    下フランジ部（突出部）
５１３    側部
５１４    止め部
【図１】
0006678063.tif 000002
【図２】
0006678063.tif 000003
【図３】
0006678063.tif 000004
【図４】
0006678063.tif 000005
【図５】
0006678063.tif 000006
【図６】
0006678063.tif 000007